(57)【要約】【課題】プロセスカラー版及び特色版で構成される入力画像信号をプロセスカラー版で構成される出力画像信号に変換する際、特色版の中間レベルにて高い色再現特性を実現可能な色変換処理装置、方法及びプログラムを提供する。【解決手段】特色を定義する特色情報（５６）に基づいて特色の色相角を算出した後、この色相角に応じて特色変換条件（１３０）を決定する。そして、決定された特色変換条件（１３０）に従って、特色版の原画像信号（１２４）をプロセスカラー版の色成分である副成分画像信号（１２４ｂ）に変換する。【選択図】図７
2015080083.tif 000002
【特許請求の範囲】
【請求項１】
プロセスカラー版の原画像信号及び特色版の原画像信号からなる入力画像信号を、プロセスカラー版からなる出力画像信号に変換する色変換処理装置であって、
特色を定義する特色情報に基づいて前記特色の色相角を算出する色相角算出部と、
前記色相角算出部により算出された前記色相角に応じて特色変換条件を決定する特色変換条件決定部と、
前記特色変換条件決定部により決定された前記特色変換条件に従って、前記特色版の原画像信号をプロセスカラー版の色成分である副成分画像信号に変換する色変換処理部と
を備えることを特徴とする色変換処理装置。
【請求項２】
請求項１記載の色変換処理装置において、
前記色変換処理部は、
前記特色変換条件を用いて前記特色版の原画像信号をデバイス非依存色版の中間画像信号に変換する第１色変換部と、
任意の出力プロファイルを作用することで、前記第１色変換部により変換された前記中間画像信号を前記副成分画像信号に変換する第２色変換部と
を有することを特徴とする色変換処理装置。
【請求項３】
請求項２記載の色変換処理装置において、
前記特色変換条件決定部は、前記色相角が取り得る全範囲を複数の部分範囲に分類し、前記色相角における前記複数の部分範囲の属否に応じて前記特色変換条件を決定することを特徴とする色変換処理装置。
【請求項４】
請求項２又は３に記載の色変換処理装置において、
前記特色変換条件決定部は、特色版の階調レベルと、デバイス非依存色を定義する各色成分の間の関係を示す階調変換特性を、前記特色変換条件として決定することを特徴とする色変換処理装置。
【請求項５】
請求項４記載の色変換処理装置において、
前記特色変換条件決定部は、特色版の最低レベルを出力媒体の色値に変換し、且つ、特色版の最高レベルを前記特色の色値に変換する前記階調変換特性を、前記特色変換条件として決定することを特徴とする色変換処理装置。
【請求項６】
請求項１〜５のいずれか１項に記載の色変換処理装置において、
任意の入力プロファイル及び前記出力プロファイルを順次作用することで、前記プロセスカラー版の原画像信号をプロセスカラー版の主成分画像信号に変換するプロセスカラー色変換部と、
前記プロセスカラー色変換部により変換された前記主成分画像信号に、前記色変換処理部により変換された前記副成分画像信号を加算することで前記出力画像信号を得る信号加算部と
を更に備えることを特徴とする色変換処理装置。
【請求項７】
プロセスカラー版の原画像信号及び特色版の原画像信号からなる入力画像信号を、プロセスカラー版からなる出力画像信号に変換する色変換処理方法であって、
特色を定義する特色情報に基づいて前記特色の色相角を算出するステップと、
算出された前記色相角に応じて特色変換条件を決定するステップと、
決定された前記特色変換条件に従って、前記特色版の原画像信号をプロセスカラー版の色成分である副成分画像信号に変換するステップと
をコンピュータに実行させることを特徴とする色変換処理方法。
【請求項８】
プロセスカラー版の原画像信号及び特色版の原画像信号からなる入力画像信号を、プロセスカラー版からなる出力画像信号に変換するための色変換処理プログラムであって、
特色を定義する特色情報に基づいて前記特色の色相角を算出するステップと、
算出された前記色相角に応じて特色変換条件を決定するステップと、
決定された前記特色変換条件に従って、前記特色版の原画像信号をプロセスカラー版の色成分である副成分画像信号に変換するステップと
をコンピュータに実行させることを特徴とする色変換処理プログラム。
【発明の詳細な説明】
【技術分野】
【０００１】
この発明は、プロセスカラー版の原画像信号及び特色版の原画像信号からなる入力画像信号を、プロセスカラー版からなる出力画像信号に変換する色変換処理装置、方法及びプログラムに関する。
【背景技術】
【０００２】
従来から、印刷分野において、ＣＭＹＫの色版（以下、プロセスカラー版）及び特色の色版（以下、特色版）で構成される画像信号に基づいて、カラー画像を印刷することがある。特色印刷に対応しない印刷機を用いる場合、印刷の際にこの画像信号をそのまま適用できないので、プロセスカラー版及び特色版で構成される入力画像信号を、プロセスカラー版で構成される出力画像信号に変換する必要がある。
【０００３】
近時、制作物のデザインの多様化等の理由から、特色のみならずその同系色を併せて使用したいという制作者の要望が高まっている。そこで、特色版の中間レベルでの色再現特性を考慮した色変換手法が種々提案されている。例えば、特許文献１及び２では、特色版の色分解を行う前に、いわゆるドットゲインカーブを用いて色補正を実行する方法が提案されている。
【先行技術文献】
【特許文献】
【０００４】
【特許文献１】特開２００２−３２００９５号公報（要約、図２）
【特許文献２】特開２００２−３２００９６号公報（図２）
【発明の概要】
【発明が解決しようとする課題】
【０００５】
ところが、特許文献１及び２に記載された方法は、特色版の明度（濃淡）を調整することを念頭に入れており、彩度の調整に関して何ら考慮されていない。すなわち、プロセスカラー版及び特色の組み合わせによって彩度方向に色がずれる場合があり、その結果、特色版の中間レベルにおける色再現特性が低下するという問題があった。
【０００６】
本発明は、上記した課題を解決するためになされたものであり、プロセスカラー版及び特色版で構成される入力画像信号をプロセスカラー版で構成される出力画像信号に変換する際、特色版の中間レベルにて高い色再現特性を実現可能な色変換処理装置、方法及びプログラムを提供することを目的とする。
【課題を解決するための手段】
【０００７】
本発明に係る色変換処理装置は、プロセスカラー版の原画像信号及び特色版の原画像信号からなる入力画像信号を、プロセスカラー版からなる出力画像信号に変換する装置であって、特色を定義する特色情報に基づいて上記特色の色相角を算出する色相角算出部と、上記色相角算出部により算出された上記色相角に応じて特色変換条件を決定する特色変換条件決定部と、上記特色変換条件決定部により決定された上記特色変換条件に従って、上記特色版の原画像信号をプロセスカラー版の色成分である副成分画像信号に変換する色変換処理部とを備える。
【０００８】
このように、特色の色相角に応じて決定された特色変換条件に従って、特色版の原画像信号をプロセスカラー版の色成分である副成分画像信号に変換する色変換処理部を設けたので、プロセスカラー版による色再現特性が色相角に応じて異なる傾向を踏まえた、適切な色変換処理を実行可能である。これにより、プロセスカラー版及び特色版で構成される入力画像信号をプロセスカラー版で構成される出力画像信号に変換する際、特色版の中間レベルにて高い色再現特性を実現できる。
【０００９】
また、上記色変換処理部は、上記特色変換条件を用いて上記特色版の原画像信号をデバイス非依存色版の中間画像信号に変換する第１色変換部と、任意の出力プロファイルを作用することで、上記第１色変換部により変換された上記中間画像信号を上記副成分画像信号に変換する第２色変換部とを有することが好ましい。
【００１０】
また、上記特色変換条件決定部は、上記色相角が取り得る全範囲を複数の部分範囲に分類し、上記色相角における上記複数の部分範囲の属否に応じて上記特色変換条件を決定することが好ましい。
【００１１】
また、上記特色変換条件決定部は、特色版の階調レベルと、デバイス非依存色を定義する各色成分の間の関係を示す階調変換特性を、上記特色変換条件として決定することが好ましい。
【００１２】
また、上記特色変換条件決定部は、特色版の最低レベルを出力媒体の色値に変換し、且つ、特色版の最高レベルを上記特色の色値に変換する上記階調変換特性を、上記特色変換条件として決定することが好ましい。
【００１３】
また、任意の入力プロファイル及び上記出力プロファイルを順次作用することで、上記プロセスカラー版の原画像信号をプロセスカラー版の主成分画像信号に変換するプロセスカラー色変換部と、上記プロセスカラー色変換部により変換された上記主成分画像信号に、上記色変換処理部により変換された上記副成分画像信号を加算することで上記出力画像信号を得る信号加算部とを更に備えることが好ましい。
【００１４】
本発明に係る色変換処理方法は、プロセスカラー版の原画像信号及び特色版の原画像信号からなる入力画像信号を、プロセスカラー版からなる出力画像信号に変換する方法であって、特色を定義する特色情報に基づいて上記特色の色相角を算出するステップと、算出された上記色相角に応じて特色変換条件を決定するステップと、決定された上記特色変換条件に従って、上記特色版の原画像信号をプロセスカラー版の色成分である副成分画像信号に変換するステップとをコンピュータに実行させる。
【００１５】
本発明に係る色変換処理プログラムは、プロセスカラー版の原画像信号及び特色版の原画像信号からなる入力画像信号を、プロセスカラー版からなる出力画像信号に変換するためのプログラムであって、特色を定義する特色情報に基づいて上記特色の色相角を算出するステップと、算出された上記色相角に応じて特色変換条件を決定するステップと、決定された上記特色変換条件に従って、上記特色版の原画像信号をプロセスカラー版の色成分である副成分画像信号に変換するステップとをコンピュータに実行させる。
【発明の効果】
【００１６】
本発明に係る色変換処理装置、方法及びプログラムによれば、特色の色相角に応じて決定された特色変換条件に従って、特色版の原画像信号をプロセスカラー版の色成分である副成分画像信号に変換するので、プロセスカラー版による色再現特性が色相角に応じて異なる傾向を踏まえた、適切な色変換処理を実行可能である。これにより、プロセスカラー版及び特色版で構成される入力画像信号をプロセスカラー版で構成される出力画像信号に変換する際、特色版の中間レベルにて高い色再現特性を実現できる。
【図面の簡単な説明】
【００１７】
【図１】この実施形態に係る色変換処理装置を組み込んだ印刷物生産システムの全体構成図である。
【図２】図１に示す色変換処理装置の電気的なブロック図である。
【図３】図３Ａは、図１に示す単色カラーチャートの概略正面図である。図３Ｂは、図３Ａに示すカラーパッチ列の測色値の遷移特性を表すグラフである。
【図４】図１及び図２に示す色変換処理装置の動作説明に供されるフローチャートである。
【図５】色相角の分類結果の一例を示す概略説明図である。
【図６】図６Ａ〜図６Ｃは、特色変換テーブルの作成方法に関する概略説明図である。
【図７】図２に示す色変換処理部の詳細ブロック図である。
【図８】第１の色変換処理による補正結果を示す概略説明図である。
【発明を実施するための形態】
【００１８】
以下、本発明に係る色変換処理方法について、それを実施する色変換処理装置及び色変換処理プログラムとの関係において好適な実施形態を挙げ、添付の図面を参照しながら詳細に説明する。
【００１９】
［印刷物生産システム１０の全体構成］
図１は、この実施形態に係る色変換処理装置を組み込んだ印刷物生産システム１０の全体構成図である。
【００２０】
印刷物生産システム１０は、色変換処理装置１２と、印刷装置１４と、ＤＴＰ（Desktop Publishing）装置１６と、面付装置１７と、データベースサーバ１８とを基本的に備える。色変換処理装置１２、ＤＴＰ装置１６、面付装置１７、及びデータベースサーバ１８は、有線又は無線によって相互に電気的に接続されている。
【００２１】
色変換処理装置１２は、外部装置から入力された画像信号（以下、入力画像信号）を、印刷装置１４での印刷に適した画像信号（以下、出力画像信号）に変換した後、出力用データとして印刷装置１４側に出力する。ここで、入力画像信号は、プロセスカラー版及び特色版（スポットカラー版）で構成される画像信号である。なお、プロセスカラー版は４色（ＣＭＹＫ）又は３色（ＣＭＹ）の色版、特色版はプロセスカラー以外（例えば、グリーン、バイオレット）の色版を意味する。
【００２２】
色変換処理装置１２には、測定対象物の色値を測定する測色計２０が接続されている。ここで色値とは、三刺激値ＸＹＺ、均等色空間の座標値Ｌ*ａ*ｂ*等のみならず、波長に対する光学物理値の特性、例えば、分光放射分布、分光感度分布、分光反射率又は分光透過率が含まれる。以下、測定により取得された色値を「測色値」という場合がある。
【００２３】
印刷装置１４は、色変換処理装置１２に電気的に接続されている。この接続には、例えば、ＵＳＢ（Universal Serial Bus）、ＩＥＥＥ１３９４、イーサネット（登録商標）、無線ネットワーク等のシリアルインターフェースや、セントロニクス等のパラレルインターフェースを適用することができる。
【００２４】
印刷装置１４は、色変換処理装置１２から供給された出力用データに基づき、出力媒体２２上に画像が形成された印刷物２４（後述する単色カラーチャート２６を含む）を出力する。出力媒体２２の種類として、合成紙・厚紙・アルミ蒸着紙等の紙類のみならず、塩化ビニル・ＰＥＴ（ポリエチレンテレフタラート）等の樹脂、ターポリン、金属シート等が存在する。
【００２５】
印刷装置１４が校正機である場合、ＤＤＣＰ（Direct Digital Color Proofing）、インクジェットカラープルーファ、低解像度のカラーレーザプリンタ（電子写真方式）又はインクジェットプリンタ等を用いてもよい。
【００２６】
印刷装置１４が凸版印刷機である場合、図示しない刷版及び中間転写体を介してインキを付着させることで、出力媒体２２上に画像が形成された印刷物２４を出力する。
【００２７】
印刷装置１４がデジタル印刷機の場合、刷版を生成することなく直接的に印刷物２４を出力可能である。デジタル印刷機としては、インクジェット印刷機、ワイドフォーマット印刷機、インクジェットカラープルーファ、カラーレーザプリンタ等を用いてもよい。
【００２８】
ＤＴＰ装置１６は、文字、図形、絵柄、写真等から構成されるコンテンツデータに対してプリフライト処理を施した後、ページ単位のデータ（ページデータ）を作成可能な装置である。面付装置１７は、ジョブチケット｛例えば、ＪＤＦ（Job Definition Format）ファイル｝のタグ情報を参照しながら、指定された綴じ方法や紙折り方法に応じた面付け処理を実行可能な装置である。
【００２９】
データベースサーバ１８は、ワークフローに関わる各種データを記憶可能なサーバ装置である。データベースサーバ１８には、例えば、コンテンツデータ、出力用データ（例えば、製版用データ、刷版用データ、又は校正用データ）、ジョブチケット｛例えば、ＪＤＦ（Job Definition Format）ファイル｝、カラープロファイル、特色を定義する情報（以下、「特色情報」という）等が記憶されている。
【００３０】
本図例では、データベースサーバ１８内には、カラープロファイル（以下、単に「プロファイル」と称する）に関するデータベース（以下、プロファイルＤＢ２８）及び特色情報に関するデータベース（以下、特色情報ＤＢ３０）がそれぞれ構築されている。プロファイルＤＢ２８は、プロファイルの種類及び印刷条件が関連付けられたデータの集合体である。特色情報ＤＢ３０は、特色名及び色値（例えば、Ｌ*ａ*ｂ*値）が関連付けられたデータの集合体である。
【００３１】
［色変換処理装置１２のブロック図］
図２は、図１に示す色変換処理装置１２の電気的なブロック図である。色変換処理装置１２は、制御部４０と、通信Ｉ／Ｆ４２と、表示制御部４４と、表示部４６と、入力部４８と、接続Ｉ／Ｆ５０と、メモリ５２（記憶媒体）を備えるコンピュータである。
【００３２】
通信Ｉ／Ｆ４２は、外部装置からの電気信号を送受信するインターフェース（Ｉ／Ｆ）である。これにより、色変換処理装置１２は、各種データ（例えば、入力画像信号５４）をデータベースサーバ１８（図１）から取得可能であり、各種データ（例えば、出力プロファイル６０）をデータベースサーバ１８に供給可能である。
【００３３】
表示制御部４４は、制御部４０の制御に従って、表示部４６を駆動制御する制御回路である。表示制御部４４が、図示しないＩ／Ｆを介して、表示制御信号を表示部４６に出力することで、表示部４６が駆動する。これにより、表示部４６は、各種画像を表示することができる。入力部４８は、マウス、トラックボール、キーボード、タッチセンサ等の種々の入力デバイスで構成される。表示部４６による表示機能及び入力部４８による入力機能を組み合わせることでユーザ・インターフェースを実現する。
【００３４】
接続Ｉ／Ｆ５０は、測色計２０からの測色値データを受信するためのインターフェースである。これにより、色変換処理装置１２は、測色計２０を介して、カラーパッチ列８０〜８２（図３Ａ）の測色値を取得可能である。
【００３５】
メモリ５２は、制御部４０が各構成要素を制御するのに必要なプログラム及びデータ等を記憶している。本図例では、入力画像信号５４、特色情報５６、中間色補正データ５７、ターゲットプロファイル５８（入力プロファイル）及び出力プロファイル６０がそれぞれ格納されている。
【００３６】
メモリ５２は、非一過性であり、且つ、コンピュータ読み取り可能な記憶媒体で構成されてもよい。ここで、コンピュータ読み取り可能な記憶媒体は、光磁気ディスク、ＲＯＭ、ＣＤ−ＲＯＭ、フラッシュメモリ等の可搬媒体、コンピュータシステムに内蔵されるハードディスク等の記憶装置である。また、この記憶媒体は、短時間に且つ動的にプログラムを保持するものであっても、一定時間プログラムを保持するものであってもよい。
【００３７】
制御部４０は、ＣＰＵ（Central Processing Unit）等のプロセッサによって構成されている。制御部４０は、メモリ５２に格納されたプログラムを読み出し実行することで、データ取得部６２、色変換条件設定部６４、及びデータ処理部６６の各機能を実現可能である。
【００３８】
データ取得部６２は、入力画像信号５４に対して色変換処理を実行するための各種データを取得する。取得されるデータには、ターゲットプロファイル５８及び出力プロファイル６０の他、後述する特色変換テーブル１３０（図７）を決定するための特色情報５６及び中間色補正データ５７が含まれる。
【００３９】
色変換条件設定部６４は、印刷処理の対象である入力画像信号５４に適した色変換条件を設定する。具体的には、色変換条件設定部６４は、特色の色相角を算出する色相角算出部６８、及び、該色相角に応じて特色変換条件（例えば、特色変換テーブル１３０；図７参照）を決定する特色変換条件決定部７０を備える。
【００４０】
データ処理部６６は、入力画像信号５４に対して印刷に適したデータ処理を実行する。具体的には、データ処理部６６は、各種プロファイルを用いて色変換処理を実行する色変換処理部７２、及び、ＰＤＬ（Page Description Language）形式からラスタ形式に変換するラスタライズ処理部７４を備える。
【００４１】
［特色の色再現特性について］
この実施形態では、プロセスカラー版及び特色版で構成される入力画像信号５４をプロセスカラー版で構成される出力画像信号１２０（図７）に変換する場合を想定する。この場合、プロセスカラー版及び特色の組み合わせによって、特色版の中間レベルにおける色再現特性が低下する可能性がある。
【００４２】
図３Ａは、図１に示す単色カラーチャート２６の概略正面図である。出力媒体２２上には、３つのカラーパッチ列８０、８１、８２、縦方向に沿った文字列８４、横方向に沿った文字列８６がそれぞれ印字されている。文字列８４は、各カラーパッチ列８０〜８２の形成に供される色版（Ｃ、Ｍ、Ｙ）の属性を表している。文字列８６は、各カラーパッチにおける階調レベル（網％）を表している。すなわち、左側から右側にわたって各単色の階調レベルが１０％刻みで変化することを観念させる。
【００４３】
図３Ｂは、図３Ａに示すカラーパッチ列８０〜８２の測色値の遷移特性を表すグラフである。グラフの横軸はＣＩＥＬＡＢ表色系のａ*であり、グラフの縦軸はｂ*である。
【００４４】
遷移曲線８８は、シアン（Ｃ）単色のカラーパッチ列８０における各測色値（ａ*，ｂ*）を結んで得られる曲線である。遷移曲線８９は、マゼンタ（Ｍ）単色のカラーパッチ列８１における各測色値（ａ*，ｂ*）を結んで得られる曲線である。遷移曲線９０は、イエロー（Ｙ）単色のカラーパッチ列８２における各測色値（ａ*，ｂ*）を結んで得られる曲線である。
【００４５】
本図から理解されるように、Ｙ単色における遷移曲線９０の直線性（リニアリティ）が最も高い一方、Ｍ単色における遷移曲線８９の直線性が最も低い。換言すれば、Ｙ単色の色相角に近い範囲にて彩度方向の色ずれが小さくなると共に、Ｍ単色の色相角に近い範囲にて彩度方向の色ずれが大きくなる傾向がみられる。
【００４６】
ここで、色相角（或いは、単に「色相」）は、色の様相を表し、０〜３６０度の範囲内のいずれかの値を採る指標である。色相角はこれに限られることなく、ＣＩＥＬＵＶ、ＣＩＥＲＧＢ等の表色系で種々定義してもよい。
【００４７】
このように、プロセスカラー単色における色相角遷移の直線性が低い場合、プロセスカラー版及び特色の組み合わせによって彩度方向に色がずれることで、特色版のグラデーション画像上の色むら・色跳びが顕在化することがある。そこで、上記した不都合を解決するための色変換処理方法を提案する。
【００４８】
［色変換処理装置１２の動作］
続いて、印刷物生産システム１０（特に、色変換処理装置１２）の動作について、図４のフローチャートを参照しながら詳細に説明する。
【００４９】
ステップＳ１において、色変換処理装置１２は、印刷処理の指示があったか否かを判定する。指示がなかった場合（ステップＳ１：ＮＯ）、当該指示を受け付けるまでステップＳ１に留まる。一方、指示があった場合（ステップＳ１：ＹＥＳ）、印刷処理に供される入力画像信号５４を取得した上で、次のステップ（Ｓ２）に進む。
【００５０】
ステップＳ２において、データ取得部６２は、入力画像信号５４に対して色変換処理を実行するための各種データを取得する。具体的には、データ取得部６２は、プロファイルＤＢ２８（図１）を介して、印刷装置１４及び出力媒体２２の種類に対応付けられたターゲットプロファイル５８及び出力プロファイル６０を取得する。
【００５１】
また、データ取得部６２は、特色情報ＤＢ３０（図１）を介して、例えば、印刷装置１４の種類、出力媒体２２の種類、特色名に対応付けられた特色情報５６及び中間色補正データ５７を取得する。ここで、特色情報５６は、入出力装置に依存しない色値（いわゆるデバイス非依存色値）にて特色を定義可能な情報であることが好ましい。具体的には、ＨＳＶ（Hue-Saturation-Value）、ＨＬＳ（Hue-Lightness-Saturation）、ＣＩＥＬＡＢ、ＣＩＥＬＵＶ、ＸＹＺ等の表色系を用いてもよい。
【００５２】
ステップＳ３において、色相角算出部６８は、ステップＳ２で取得された特色情報５６に基づいて特色の色相角を算出する。ＣＩＥＬＡＢ表色系上において、色相角は、Ｈ＝ｔａｎ-1（ｂ*／ａ*）（０≦Ｈ＜３６０［度］）で算出される。以下、特色がバイオレット（青紫色）に近い色であり、Ｈ＝３００［度］であったと想定する。
【００５３】
ステップＳ４において、特色変換条件決定部７０は、ステップＳ３で算出された色相角に応じて特色変換テーブル１３０（特色変換条件の一形態）を決定する。具体的には、特色変換条件決定部７０は、色相角が取り得る全範囲を複数の部分範囲（範囲１〜範囲８）に分類し、色相角における複数の部分範囲の属否に応じて補正量（Δａ*，Δｂ*）を選択する。
【００５４】
図５は、色相角の分類結果の一例を示す概略説明図である。色相角（Ｈ）が０≦Ｈ＜４５［度］を満たす場合は「範囲１」に、４５≦Ｈ＜９０［度］を満たす場合は「範囲２」にそれぞれ分類される。また、色相角が９０≦Ｈ＜１３５［度］を満たす場合は「範囲３」に、１３５≦Ｈ＜１８０［度］を満たす場合は「範囲４」にそれぞれ分類される。また、色相角が１８０≦Ｈ＜２２５［度］を満たす場合は「範囲５」に、２２５≦Ｈ＜２７０［度］を満たす場合は「範囲６」にそれぞれ分類される。また、色相角が２７０≦Ｈ＜３１５［度］を満たす場合は「範囲７」に、３１５≦Ｈ＜３６０［度］を満たす場合は「範囲８」にそれぞれ分類される。
【００５５】
この結果、特色変換条件決定部７０は、ステップＳ２で取得された中間色補正データ５７を読み出し参照することで、「範囲７」に対応する補正量（Δａ*，Δｂ*）を得る。ここで、Δａ*、Δｂ*は共に負値であったとする。
【００５６】
そして、特色変換条件決定部７０は、特色版の階調レベル（０〜１００％）と、デバイス非依存色を定義する各色成分（ここでは、Ｌ*ａ*ｂ*）の間の関係を示す階調変換特性１００、１０６、１１２を決定する。
【００５７】
図６Ａは、特色版の階調レベルと第１の色成分（Ｌ*）の間の関係を示す階調変換特性１００のグラフである。ここで、Ｌ*（０）は出力媒体２２のＬ*値に相当し、Ｌ*（１００）は特色のＬ*値に相当する。
【００５８】
階調変換特性１００は、最低の階調レベル（０％）に相当するプロット１０２と、最高の階調レベル（１００％）に相当するプロット１０３を結び、且つ、特定の階調レベル（例えば、５０％）に相当するプロット１０４を通る直線である。ここでは、階調変換特性１００を補正することなくそのまま使用する点に留意する。
【００５９】
図６Ｂは、特色版の階調レベルと第２の色成分（ａ*）の間の関係を示す階調変換特性１０６のグラフである。ここで、ａ*（０）は出力媒体２２自体（無印字部位）のａ*値に相当し、ａ*（１００）は特色のａ*値に相当する。
【００６０】
階調変換特性１０６は、プロット１０２、１０３を両端とし、且つ、プロット１０４を通る２次曲線である。一点鎖線で示す直線は、プロット１０２、１０３を結ぶ理想的な階調特性（以下、理想階調特性１０８）である。理想階調特性１０８上に存在する塗り潰しがない丸印は、特定の中間階調レベル（５０％）に相当するプロット１１０である。
【００６１】
ここで、プロット１０４が示すａ*値は、プロット１１０が示すａ*値｛＝（ａ*（０）＋ａ*（１００））／２｝にΔａ*を加算した値に等しい。換言すれば、階調変換特性１０６は、理想階調特性１０８を補正することで得られる特性であるとも言える。
【００６２】
図６Ｃは、特色版の階調レベルと第３の色成分（ｂ*）の間の関係を示す階調変換特性１１２のグラフである。ここで、ｂ*（０）は出力媒体２２のｂ*値に相当し、ｂ*（１００）は特色のｂ*値に相当する。
【００６３】
階調変換特性１１２は、プロット１０２、１０３を両端とし、且つ、プロット１０４を通る２次曲線である。一点鎖線で示す直線は、プロット１０２、１０３を結ぶ理想的な階調特性（以下、理想階調特性１１４）である。理想階調特性１１４上に存在する塗り潰しがない丸印は、特定の階調レベル（５０％）に相当するプロット１１６である。
【００６４】
ここで、プロット１０４が示すｂ*値は、プロット１１６が示すｂ*値｛＝（ｂ*（０）＋ｂ*（１００））／２｝にΔｂ*を加算した値に等しい。換言すれば、階調変換特性１１２は、理想階調特性１１４を補正することで得られる特性であるとも言える。
【００６５】
このようにして、特色変換条件決定部７０は、色相角が取り得る全範囲を複数の部分範囲に分類し、該色相角における複数の部分範囲の属否に応じて特色変換テーブル１３０を決定する。上記した例では、各部分範囲に応じた補正量（Δａ*，Δｂ*）を用いているが、決定方法はこれに限られない。
【００６６】
また、特色変換条件決定部７０は、特色版の階調レベル（網％）と、デバイス非依存色を定義する各色成分の間の関係を示す階調変換特性１００（図６Ａ）、１０６（図６Ｂ）、１１２（図６Ｃ）を、特色変換テーブル１３０として決定してもよい。上記した例では、特色変換テーブル１３０は、階調変換特性１００、１０６、１１２を結合してなる１次元−３次元変換テーブルである。
【００６７】
また、特色変換条件決定部７０は、特色版の最低レベル（０％）を出力媒体２２の色値に変換し、且つ、特色版の最高レベル（１００％）を特色の色値に変換する特色変換テーブル１３０を決定してもよい。これにより、特色版の最低レベル及び最高レベルの色再現特性を少なくとも維持できる。
【００６８】
次いで、ステップＳ５〜Ｓ８において、色変換処理部７２は、所定のデータ処理を順次実行することで出力画像信号１２０を得る。以下、色変換処理の具体例について、図７を参照しながら詳細に説明する。
【００６９】
図７は、図２に示す色変換処理部７２の詳細ブロック図である。色変換処理部７２は、プロファイルを含む色変換情報を用いて、入力画像信号５４を出力画像信号１２０に変換する。入力画像信号５４はプロセスカラー版の原画像信号１２２及び特色版の原画像信号１２４からなり、出力画像信号１２０はプロセスカラー版の画像信号からなる。
【００７０】
本図では、表記上の便宜のため、各画像信号が表す色再現特性を次の記号（Ａ１、Ａ２、Ｂ）で表現する。「Ａ１」、「Ａ２」及び「Ｂ」はそれぞれ、ターゲットプロファイル５８にて特定されるデバイス依存色空間、出力プロファイル６０にて特定されるデバイス依存色空間、及びデバイス非依存色空間である。
【００７１】
また、デバイス依存色空間（Ａ）からデバイス非依存色空間（Ｂ）への色変換を「Ａ２Ｂ変換」、デバイス非依存色空間（Ｂ）からデバイス依存色空間（Ａ）への色変換を「Ｂ２Ａ変換」、デバイス依存色空間（Ａ）からデバイス依存色空間（Ａ）への色変換を「Ａ２Ａ変換」とそれぞれ表記する。
【００７２】
図４のステップＳ５において、プロセスカラー色変換部１２６は、任意の入力プロファイル（ターゲットプロファイル５８）及び出力プロファイル６０を順次作用することで、プロセスカラー版の原画像信号１２２に対して色変換処理（Ａ２Ａ変換）を実行する。ここで、この色変換処理は、［１］ターゲットプロファイル５８による「Ａ１→Ｂ」変換、及び、［２］出力プロファイル６０による「Ｂ→Ａ２」変換を順次結合して構成される。この処理を実行することで、印刷装置１４の色再現特性（Ａ２）に適した、プロセスカラー版の画像信号（以下、主成分画像信号１２２ｃ）が得られる。
【００７３】
図４のステップＳ６において、第１色変換部１２８は、ステップＳ４で決定された特色変換テーブル１３０を用いて、特色版の原画像信号１２４に対して第１の色変換処理（Ａ２Ｂ変換）を実行する。この処理を実行することで、印刷装置１４及び出力媒体２２の組み合わせにおける遷移曲線８８〜９０（図３Ｂ）の傾向に合致した、デバイス非依存色版の画像信号（以下、中間画像信号１２４ａ）が得られる。
【００７４】
図４のステップＳ７において、第２色変換部１３２は、任意の出力プロファイル６０を作用することで、デバイス非依存色版の中間画像信号１２４ａに対して第２の色変換処理（Ｂ２Ａ変換）を実行する。この処理を実行することで、印刷装置１４の色再現特性（Ａ２）に適した、プロセスカラー版の画像信号（以下、副成分画像信号１２４ｂ）が得られる。
【００７５】
図４のステップＳ８において、信号加算部１３４は、プロセスカラー色変換部１２６により変換された主成分画像信号１２２ｃに、第２色変換部１３２により変換された副成分画像信号１２４ｂを加算する。これにより、プロセスカラー版からなる出力画像信号１２０が得られる。
【００７６】
ステップＳ９において、ステップＳ８で色変換された出力画像信号１２０に基づいて印刷処理を実行する。印刷に先立ち、ラスタライズ処理部７４は、出力画像信号１２０に対して印刷装置１４に適したラスタライズ処理を実行し、得られたラスタデータを印刷装置１４側に供給する。そして、印刷装置１４は、当該ラスタデータに基づいて所望の印刷物２４を出力する。
【００７７】
このようにして、印刷物生産システム１０（特に、色変換処理装置１２）の動作が終了する。これにより、特色印刷に対応しない印刷装置１４（例えば、校正機）であっても、特色印刷に対応する装置と略同等に色再現できる。
【００７８】
図８は、第１の色変換処理による補正結果を示す概略説明図である。グラフの横軸はａ*であり、グラフの縦軸はｂ*である。本図は、特色版（バイオレット）のグラデーション画像における色の遷移特性を表している。
【００７９】
理想曲線１４０は、特色の最低レベル（０％；プロット１０２）から最高レベル（１００％；プロット１０３）までの範囲を直線で結んだ曲線である。一方、遷移曲線１４２は、プロット１０２からプロット１０３までの全範囲にて測色値（ａ*，ｂ*）をプロットした曲線である。
【００８０】
この理想曲線１４０は、第１の色変換処理に代わって線形的な色変換を実行した場合における色再現特性を示す。本図から理解されるように、理想曲線１４０は、特に中間の階調レベル（プロット１４４）において実際の遷移曲線１４２（プロット１０４）との間で乖離している。そこで、第１の色変換処理を実行することで、遷移曲線１４２の傾向に合致した中間画像信号１２４ａ（図７）に変換可能であり、その結果、特色版の中間レベルにて高い色再現特性を実現できる。
【００８１】
［この実施形態による効果］
以上のように、この実施形態に係る色変換処理装置１２は、プロセスカラー版の原画像信号１２２及び特色版の原画像信号１２４からなる入力画像信号５４を、プロセスカラー版からなる出力画像信号１２０に変換する装置である。
【００８２】
そして、色変換処理装置１２は、特色を定義する特色情報５６に基づいて特色の色相角を算出する色相角算出部６８と、色相角に応じて特色変換テーブル１３０を決定する特色変換条件決定部７０と、特色変換テーブル１３０に従って、特色版の原画像信号１２４をプロセスカラー版の色成分である副成分画像信号１２４ｂに変換する色変換処理部７２を備える。
【００８３】
このように、特色の色相角に応じて決定された特色変換テーブル１３０に従って、特色版の原画像信号１２４を副成分画像信号１２４ｂに変換する色変換処理部７２を設けたので、プロセスカラー版による色再現特性が色相角に応じて異なる傾向を踏まえた、適切な色変換処理を実行可能である。これにより、入力画像信号５４を出力画像信号１２０に変換する際、特色版の中間レベルにて高い色再現特性を実現できる。
【００８４】
［補足］
なお、この発明は、上述した実施形態に限定されるものではなく、この発明の主旨を逸脱しない範囲で自由に変更できることは勿論である。
【００８５】
この実施形態では、特色変換テーブル１３０（階調変換特性１０６、１１２）はいずれも２次曲線であるが、この関数形に限られない。関数形は、２次関数の他、３次以上の関数、指数関数を含む任意の非線形関数であってもよい。
【００８６】
この実施形態では、特色変換テーブル１３０は１次元（網％）から３次元（Ｌ*ａ*ｂ*）に変換するテーブルであるが、この入出力特性に限られない。出力側の次元数（色版数）として１次元、２次元、又は４次元以上であってもよいし、値の定義としてデバイス依存色値／デバイス非依存色値の別は問わない。
【００８７】
この実施形態では、特色変換条件として特色変換テーブル１３０を採用しているが、このデータ形式に限られない。特色変換条件は、ルックアップテーブルの他、行列要素、関数式、係数、学習モデルを構築するための各種情報又はこれらの組み合わせであってもよい。
【００８８】
この実施形態では、出力画像信号１２０の供給先として印刷装置１４を例に挙げているが、画像を出力可能な出力装置（例えば、表示装置）に適用できることは言うまでもない。
【符号の説明】
【００８９】
１０…印刷物生産システム                  １２…色変換処理装置
１４…印刷装置                            １８…データベースサーバ
２２…出力媒体                            ２４…印刷物
２８…プロファイルＤＢ                    ３０…特色情報ＤＢ
４０…制御部                              ５２…メモリ
５４…入力画像信号                        ５６…特色情報
５８…ターゲットプロファイル              ６０…出力プロファイル
６８…色相角算出部                        ７０…特色変換条件決定部
７２…色変換処理部                        １００、１０６、１１２…階調変換特性
１２０…出力画像信号                      １２２…プロセスカラー版の原画像信号
１２２ｃ…主成分画像信号                  １２４…特色版の原画像信号
１２４ａ…中間画像信号                    １２４ｂ…副成分画像信号
１２６…プロセスカラー色変換部            １２８…第１色変換部
１３０…特色変換テーブル                  １３２…第２色変換部
１３４…信号加算部
【図１】
2015080083.tif 000003
【図２】
2015080083.tif 000004
【図３】
2015080083.tif 000005
【図４】
2015080083.tif 000006
【図５】
2015080083.tif 000007
【図６】
2015080083.tif 000008
【図７】
2015080083.tif 000009
【図８】
2015080083.tif 000010